(57)【要約】【課題】例えばシリンタの固定忘れ防止。【解決手段】錠箱内にロック用手段を固定するための固定手段２０を配設した建具用錠前であり、固定手段は、錠箱内に往復動可能なスライドバー２１を有し、スライドバー２１の他端部２１ａには、少なくとも施錠片ロック用手段固定筒に設けた被係合部分４５に係脱する係合片３０を備えた連動部材２２を設け、一方、スライドバー２１の一端部２１ｂには、スライドバーの位置を変位させ得る操作具２３を設け、スライドバー２１の中途部位２１ｃには、被係合部分４５に係合片３０が係合しない限り施錠片４の作動を許容しないストッパー２４を設けた。【選択図】図７
2008133683.tif 000002
【特許請求の範囲】
【請求項１】
錠箱に設けられた施錠片が、錠箱に内装された駆動体の駆動力によりフロントを基準として進退動すること、また、錠箱内に前記施錠片を施・解錠状態にするためのロック用手段を固定するための固定手段を配設した建具用錠前であり、前記施錠片は、外部操作によって、施錠片の内端部に対してロックするストッパーを有するスライドバーが移動し、所定の条件を充足すると、施錠片の作動を許容することを特徴とする建具用錠前。
【請求項２】
請求項１に於いて、固定手段は、錠箱内を移動するスライドバーと、このスライドバーの一端部に設けられた操作具と、一方、スライドバーの他端部に設けられていると共に、少なくとも施錠片ロック用手段固定筒に設けた被係合部分に係脱する係合片を有する連動部材を備え、さらに、前記被係合部分に前記係合片が係合しない限り、施錠片の作動を許容しないように該施錠片に当接するストッパーをそれぞれ備えていることを特徴とする建具用錠前。
【請求項３】
請求項２に於いて、係合片は、錠箱の内壁に固定された駆動体軸受け兼用ガイドベースに設けた中心軸に軸支されていることを特徴とする建具用錠前。
【請求項４】
錠箱１に設けられた施錠片４が、錠箱に内装された駆動体１１の駆動力によりフロント1cを基準として進退動すること、また、錠箱内に前記施錠片を施・解錠状態にするためのロック用手段を固定するための固定手段２０を配設した建具用錠前であり、前記固定手段は、外部操作によって、錠箱１の内壁面に沿って往復動可能なスライドバー２１を有し、このスライドバー２１の他端部２１ａには、少なくとも施錠片ロック用手段固定筒に設けた被係合部分４５に係脱する係合片３０を備えた連動部材２２を設け、一方、スライドバー２１の一端部２１ｂには、該スライドバーの位置を変位させ得る操作具２３を設け、さらに、スライドバー２１の中途部位２１ｃには、前記被係合部分４５に前記係合片３０が係合しない限り、前記施錠片４の作動を許容しないストッパー２４を設けたことを特徴とする建具用錠前。
【請求項５】
請求項４に於いて、連動部材２２の係合片３０は、施錠片ロック用手段固定筒５を介して施錠片ロック用手段の被係合部分４５に係入することを特徴とする建具用錠前。
【請求項６】
請求項４に於いて、錠箱の内壁に環状に突出する支持壁を設け、この環状支持壁に施錠片ロック用手段を内装するロック用手段固定筒の基端部を固定的に嵌め込み、連動部材２２の係合片３０は、前記支持壁及びロック用手段固定筒を介して施錠片ロック用手段の被係合部分４５に係入することを特徴とする建具用錠前。
【発明の詳細な説明】
【技術分野】
【０００１】
本発明は、施錠片を施・解錠状態にするためのロック用手段、特にシリンダの取付け構造についての建具用錠前に関する。
【背景技術】
【０００２】
施錠片ロック用手段の一例としてのシリンダ（シリンダ錠のこと）を錠箱の嵌合孔に、その基端部（後端部）を嵌め込んで錠箱に固定する構造又は方法としては、次のとおりである。すなわち、（ａ）シリンダの胴体部にネジ溝、或いは係合溝、或いは係合孔等の被係合部を形成し、この被係合部に錠箱に固定的に設けた支持板を介して係合棒を螺合する固定構造、（ｂ）特許文献１の図５に記載されているように、シリンダの胴体部周面にネジ溝を形成しておき、錠前の取り付部に穿設された貫通孔に胴体部を挿入して、該胴体部一端に形成されているフランジ部で貫通孔の周縁に係止させ、貫通孔の反対側に突出された胴体部の前記ネジ溝にナットをねじ込んで、かつ、前記フランジ部を利用して挟み込み方式による固定構造、（ｃ）特許文献１に記載されているように、外筒の係止部に係合する被係合部を有すると共に、環状半割型の取付け枠部を有する一組の弾発性留め具を、予めシリンダの外筒に装着し、該弾発性留め具を介して、ワンタッチ方式で錠箱の嵌合孔に嵌め込む固定構造、（ｄ）特許文献２に記載されているように、シリンダの外筒に予め複数本のバネ片を有する弾性挟持片を止めリングを介して装着し、シリンダを錠箱の嵌合孔に嵌め込むことによって、前記バネ片の鉤状先端部とシリンダのフランジ部で嵌合孔を形成する周縁部を挟持する固定構造、（ｅ）そして、本発明の一実施例のように、シリンダ固定筒に、頭部がシリンダ固定筒の前壁開口から露呈するように内装し、シリンダ固定筒の基端部を錠箱の一側壁に固定する固定構造である。この固定構造の場合には、シリンダの先端部側の胴体部部分が扉の前面から突出するので、周知のように、胴体部部分にシリンダカバーを被せている。
【０００３】
ところで、施錠片ロック用手段、例えばシリンダは、上記（ａ）乃至（ｅ）のいずれかの取り付け構造又は方法を前提とした上で、シリンダが錠箱から簡単に取り外れないように工夫する必要がある。仮に、シリンダの固定が不十分であったり、またはシリンダの固定を忘れると、極端な話、シリンダが錠箱から外れてしまう。そこで、シリンダが錠箱から外れないように取付け者に喚起する必要性がある。
【０００４】
また、シリンダを固定する場合において、シリンダの鍵穴が垂直線上、又は垂直線上に可能な限り位置するように正確に位置決めして錠取り付け部（嵌合孔の縁部を含む周辺）に装着ないし固定するのが望ましい。
【０００５】
もしそうでないと、例えば解錠状態に於いて、デッドボルト、鎌片などの施錠片の先端面が、錠箱のフロントの外面から外へと食み出す事態が発生する。
【０００６】
そこで、現在、特許文献１や特許文献２に記載の実施例のように、シリンダ（サムターン軸も同様）の外筒に挟持用弾性手段を装着せず、極力、シリンダをシンプルな形態にした状態でシリンダの固定忘れを防止すると共に、望ましくは施錠片ロック用手段を錠取り付け部に「正確に位置決めしてセット（係合固定）」できる錠前の出現が要望されている。
【特許文献１】特許公開２００５−２９９１６１号公報
【特許文献２】実公平６−８２０９号公報
【発明の開示】
【発明が解決しようとする課題】
【０００７】
本発明の所期の目的は、施錠片ロック用手段（例えばシリンダ）が錠箱から外れないように、少なくとも施錠片ロック用手段を包む固定筒の固定忘れを防止することである。望ましくは、固定筒及び施錠片ロック用手段を同時に係止固定することである。また、本発明の第２の目的は、背景技術を前提とした上で、シリンダ（サムターン軸も同様）の外筒に挟持用弾性手段を装着せず、極力、シリンダをシンプルな形態にした状態で、望ましくは簡単な取り付け構造を前提とした上で、或いは錠前の使用態様を考慮して上で、施錠片ロック用手段を錠取り付け部に「簡単かつ正確に位置決めしてセット（係合固定）」することである。
【課題を解決するための手段】
【０００８】
本発明の建具用錠前は、錠箱に設けられた施錠片が、錠箱に内装された駆動体の駆動力によりフロントを基準として進退動すること、また、錠箱内に前記施錠片を施・解錠状態にするためのロック用手段を固定するための固定手段を配設した建具用錠前であり、前記施錠片は、外部操作によって、施錠片の内端部に対してロックするストッパーを有するスライドバーが移動し、所定の条件を充足すると、施錠片の作動を許容することを特徴とする。
【０００９】
上記構成に於いて、固定手段２０は、少なくとも、錠箱１内を移動するスライドバー２１と、このスライドバーの他端部２１ｂに設けられた操作具２３と、一方、スライドバーの一端部２１ａに設けられていると共に、少なくとも施錠片ロック用手段固定筒５に設けた被係合部分４５に係脱する係合片３０を有する連動部材２２を備え、さらに、前記被係合部分４５に前記係合片３０が係合しない限り、施錠片４の作動を許容しないように該施錠片に当接するストッパー２４をそれぞれ備えていることを特徴とする。
【００１０】
ここで「所定の条件を充足する」とは、外部操作によって、スライドバーが移動することに起因し、スライドバーに連結された或いはスライドバーに連係する係合片が施錠片ロック用手段又は／及び施錠片ロック用手段固定筒の何れかに設けた被係合部分に係合することをいう。この場合、前記係合片は、錠箱内に設けた環状突出の支持壁を介して、又は介さないで、少なくともロック用手段固定筒に係入し、望ましくは施錠片ロック用手段としのシリンダの外筒の基端部に設けた係合溝や係合穴に係入する。
【発明の効果】
【００１１】
（１）外部操作により、スライドバーを所定方向に移動させない限り、そのストッパーが障害となるので、施錠片が作動しない。したがって、錠箱にロック用手段を取付けする場合、取付け者は、例えばシリンダが錠箱から外れないように常にシリンダ用固定筒に対する係止固定を心掛けるので、シリンダ或いはシリンダ用固定筒の固定忘れを防止することができる。
（２）二次的な目的・効果であるが、図６で示すように、外部から操作具を操作すると、施錠片ロック用手段を錠取り付け部に正確に位置決めしてセットすることもできる。したがって、解錠状態に於けるデッドボルツト、鎌片などの施錠片の先端面が、錠箱のフロントの外面から外へと食み出す事態を防止できる。
（３）いわば簡単な構成で（構成部品を少なくして）、（１）の効果を得ることができる。
（４）固定手段の位置及び施錠片ロック用手段に設けた被係合部分の構成如何によっては、施錠片ロック用手段に抜き取りに対する防犯機能も付与させることができる。
【発明を実施するための最良の形態】
【００１２】
以下、図１乃至図１０に示す本発明を実施するための最良の形態により説明する。図1は、錠前の一例を示す概略説明図である。図２は、錠前の内部構成を示す。図３乃至図６は要部を示す各説明図である。以下、本発明の環境部材と特定要件について順次説明する。なお、図１には本発明のポイント部分が十分に現れないので、別途、図９、図１０、図１２（第２実施例）にポイント部分を示すことにする。
【００１３】
（１）錠前
錠前は、例えば強化ガラス扉用の錠前として使用され、普通一般に錠箱内のダルマに対して、シリンダユニット並びにサムターンユニットがそれぞれ装着される。なお、錠前にサムターンユニットのみ装着される場合もある。
【００１４】
まず、図1を参照にして、錠前の基本的な構成部材を説明する。1は錠箱、2は錠箱の左側面側に水平状態に取り付けられたシリンダを含むシリンダユニット、3は錠箱の右側面側に水平状態に取り付けられたサムターン軸を含むサムターンユニット、4は錠箱の下面側から突出及び後退する鎌デッド、デッドボルト等の施錠片（以下、「デッド」という。）である。本実施例のデッド４は、回転しながら突出及び後退する。
【００１５】
次に、図1を参照にして、錠前の具体的構成を簡単に説明する。錠箱1は、断面矩形状のケース本体1a、このケース本体1aの下壁外面に長板状の取り付け板1b及び固着具を介して固定されたフロント1cを備えている。周知のように錠箱1の各側壁には、シリンダ用嵌合孔、サムターン軸用挿入孔、施錠片用開口、取り付け孔等が適宜に形成されている。
【００１６】
錠箱1の左側壁には、シリンダ用嵌合孔、シリンダ用固定筒5を介してシリンダ6が装着される。この場合、シリンダ6は正しく取り付ける必要がある。それは、鍵穴の中心基準をとおる水平裁断面又は垂直裁断面に一致するように錠箱１に正しくセットしないと、解錠状態に於いて、デッド４がフロント1cから食み出す場合があり、戸枠との関係で好ましくないからである。
【００１７】
一方、錠箱1の右側壁には、サムターン軸用挿入孔、サムターン用支持筒7を介して摘み8が装着される。また錠前は、錠箱1の内部に左右一組（相対向の）環状軸受け部を有するガイドベース板（図４、図１０等参照）３５を介して、ダルマと称される駆動体11を備えている。駆動体11は、シリンダ6のテールピースと称される係合突片12又は摘み8と一体のサムターン軸13の操作力により所定量回転する。駆動体１１が回転すると、この駆動力により、デッド４がフロント1cを基準にして突出し（施錠状態）、又は引っ込む（解錠状態）。なお、シリンダカバー、サムターンカバー等の細部的事項は割愛している。
【００１８】
（２）錠前の内部構成
図２乃至図６を参照にして錠前の内部構成及び要部を説明する。錠前の使用態様に関しては特に限定するものではないが、本実施例の錠前は、例えば強化ガラス扉用の錠前として使用されるため、図示しない扉の下端部に取り付けられる。したがって、扉の下框に取り付けた場合には、図２で示すようにデッド４は下方へと回転して突出する。それ故に、図２は施錠状態を示す。
【００１９】
図２に於いて、1は横方向に長い錠箱で、この錠箱は、前述したように、ケース本体1a、取り付け板1b及び固着具を介して固定されたフロント1cを備えている。
また、錠箱１には、シリンダ６の基端部６ａが嵌め込まれていると共に、施錠片ロック用手段（いわゆるシリンダ６、又はサムターン軸１３）の操作部材（いわゆる合鍵、又は摘み）の操作力によって、デッド４を、フロント1cを基準として進退動させるための主な作動部材やバネが組み込まれている。
【００２０】
すなわち、１１はガイドベース板３５の環状部分３６を介してケース本体1a内に回動自在に設けられた駆動体（ダルマ）で、この駆動体１１の異径の係合孔１１ａには、図１で示すように係合突片12やサムターン軸13が係合する。したがって、駆動体１１は、係合突片12又はサムターン軸13の回転方向へ所定量回転可能である。駆動体１１は、それ自体新規なものでいない。それ故に、不番の伝動ギヤ部、クリックバネ１５と圧接する山形状突起部分等半径外方向に有している。
【００２１】
１６は駆動体１１の伝動ギヤ部と噛合するようにデッド４と駆動体１１との間に回転自在に配設された従動片である。この従動片１６は、不番の噛合部分よりも半径外方向に延びる駆動アームの先端部に可動ピン１６ａを有し、この可動ピン１６ａは、錠箱１の中心部寄りの部位に横設された固定軸１７に軸支されたデッド４の内端部の長い切欠状被係合部（係合切欠、係合溝等）４ａに摺接自在に係合している。
【００２２】
デッド４は、前記固定軸１７を支点にして、施錠片ロック用手段の操作部材の操作力により、駆動体１１及び従動片１６を介して回転可能である。
【００２３】
しかして、本実施例では、施錠片ロック用手段（シリンダ６又はサムターン軸１３）が、例えば所定の基準に合致するように確実に装着された場合（後述するように正しく取り付けられた場合）には、デッド４は、図２で示すように施錠状態となることができ、また、解錠状態に於いて、デッド４の先端面（鎌片のときはその鉤状先端面）４ｂが錠箱１のフロント1cの外面から外へと食み出さない。
【００２４】
（３）錠前の特徴部分と固定手段
本発明の錠前の特徴部分は、錠箱１に設けられた施錠片４が、錠箱１に内装された駆動体１１の駆動力によりフロント1cを基準として進退動すること、また、錠箱１内に前記施錠片４を施・解錠状態にするためのロック用手段（シリンダ６又はサムターン軸１３）を固定するための固定手段２０を配設した建具用錠前であり、前記固定手段２０は、錠箱１のケース本体１ａの内壁面に沿って往復動可能なスライドバー２１を有し、このスライドバー２１の他端部２１ａには、施錠片ロック用手段６又は／及びロック用手段固定筒の何れかに設けた被係合部分（本実施例では、シリンダ６の後端部と固定筒５の基端部の両方に被係合部分を形成してある。）４５に係脱する係合片３０を備えた連動部材２２を設け、一方、スライドバー２１の一端部２１ｂには、該スライドバーの位置を変位させ得る操作具２３を設け、さらに、スライドバー２１の一端部から他端部に至る中途部位２１ｃには、前記被係合部分４５に前記係合片３０が係合しない限り、前記施錠片４の施錠方向への作動を許容しないストッパー２４を設けた。
【００２５】
なお、本発明の所期の目的との関係では、少なくとも固定筒５の基端部５ａに係合片３０の先端部３０ａが係入する（入り込む）被係合部分（例えば遊嵌合穴、係合切欠等）４５を設けてあれば良い。したがって、ここでの符号４５は、固定筒５の被係合部分４５と施錠片ロック用手段６のそれという具体に共通に用いている。
【００２６】
（４）ロック用手段の固定手段
図３はロック用手段６の固定手段２０の一例を示す。また、図６の（ａ）と（ｂ）はロック用手段の一例としてのシリンダ６の斜視図である。このシリンダ６は、従来の固定構造の一例で説明したように、シリンダ固定筒５に、その頭部がシリンダ固定筒５の前壁開口から露呈するように内装される。
【００２７】
そして、シリンダ６は、シリンダ固定筒５と共に（シリンダ固定筒５に内装された状態で）錠箱１の一側壁に形成した嵌合孔の縁部に差し込み固定される。その際、本発明の主要部であるロック用手段６の固定手段２０により、望ましくは正確に位置決めしてセット（係合固定）された状態で、錠箱１に固定的に装着される。
【００２８】
（５）固定手段２０
図３を参照にして、固定手段２０の構成部材を説明する。固定手段２０は、少なくとも、錠箱１のケース本体１ａの内壁面に沿って往復動可能な長尺状のスライドバー２１と、ケース本体１ａ内の一端部（図面では、左側）に固定的に設けられた支持板１９と、この支持板１９に支持された状態で前記スライドバー２１の一端部２１ｂに螺合する操作具２３と、一方、スライドバー２１の他端部２１ａに連結されていると共に、少なくとも施錠片ロック用手段の固定筒５に設けた被係合部分４５に係脱する係合片３０を備えた連動部材２２と、前記係合片３０を案内するガイド部分３７を有すると共に、ケース本体１ａ内の他端部（図面では、右側）に固定されたガイドベース３５を備え、さらに、前記スライドバー２１の一端部から他端部に至る中途部位（例えば中央部）２１ｃには、前記被係合部分４５に前記係合片３０が係合しない限り、前記施錠片４の作動を許容しないように該施錠片４の内端部の周面に当接する突片状のストッパー２４が一体成形されている。
しかして、前記支持板１９は、錠箱１の不番の右側壁に代用させることは可能であるが、本実施例では、右側壁とは別個に、かつ、右側壁と所定の間隙を有して相対向するように設けられている。
【００２９】
また、前記操作具２３は、特に符号を付さないが、右側壁に形成した貫通孔に臨む係合頭部２３ａ、この係合頭部に連設する首部２３ｂ、この首部に連結するオネジ部２３ｃとから成り、前記係合頭部２３ａの前面には、図示しないドライバーの先端部が係合する溝が形成されている。
【００３０】
したがって、右側壁と相対向するスライドバー２１の他端部２１ａの右側壁には、前記オネジ部２３ｃと螺合するメネジ部が形成されている。また、一端部２１ｂの正面壁の一辺は、錠箱１に内設したストッパーピン１８に当接可能な弧状の係合面２５となっている。
【００３１】
また、スライドバー２１の他端部２１ａには、下方に突出する連結部分２６が成形され、この連結部分２６には、回り板２７の一端部（図面上は、上端部）が不番の枢支ピンを介して連結されている。回り板２７の中央部は、次に説明するガイドベースに固定的に設けた中心軸２８を介して所定量回転可能に枢支されている。
【００３２】
本実施例の連動部材２２は、前記回り板２７と、この回り板２７の他端部（図面上は、下端部）に可動ピン２９を介して連結され、かつ、施錠片ロック用手段（シリンダ）６に設けた被係合部分４５に係脱する係合片３０とから成る。
【００３３】
（６）ガイドベース３５
図４は駆動体軸受け兼用のガイドベース３５の一例を示す。ガイドベース３５は、図６、図１０等で示すように、シリンダ６の後端部（基端部）６ａ及びシリンダ用固定筒５の基端部５ａを受け入れると共に、駆動体（ダルマ）１１を支持する膨出状の環状部分乃至環状的開口３６と、該環状部分乃至開口３６の適宜部位に形成された切欠状のガイド部分３７を有する形状に形成されている。
【００３４】
したがって、符号３８は取付け小孔を有すると共に環状部分３６を有するベース部分、符号３９、４０はガイド部分３７を形成するようにベース部分３８から水平方向に延伸相対向するガイドアームであり、前記ガイドアーム３９の少なくとも一方には、前述した中心軸２８を取り付けるための軸孔４１等が形成されている。
【００３５】
（７）シリンダの構成
図６の（ａ）、（ｂ）は、本実施例のシリンダ６の外観構成を示す斜視図でする。シリンダの基本的構成は、周知事項なので、その詳細説明は割愛する。本実施例のシリンダ６は、不番の外筒と、この外筒に回転自在に嵌挿した内筒とを含み、本実施例では、前記外筒の基端部６ａの部位には、連動部材２２の係合片３０の先端部が係脱する被係合部分（溝、係合孔、切欠等）４５が形成されている。
【００３６】
ここで、例えば「被係合部分」とは、図６で示すように、シリンダ６の鍵穴の中心Ｏを面状に裁断した場合の鍵穴基準面（解錠状態における鍵穴６ｂの中心Ｏをとおる水平裁断面Ｘか、又は垂直際断面Ｙのいずれか）を意味する。
【００３７】
付言すると、錠前には、解錠状態のとき、（ａ）そのシリンダ６の鍵穴６ｂが水平状態の場合と、（ｂ）鍵穴６ｂが垂直状態の場合があるので、例えば前者の場合には、鍵穴６ｂの中心Ｏをとおる水平裁断面Ｘが鍵穴基準面となる。したがって、本実施例では、シリンダ６の被係合部分（溝、係合孔、切欠等）４５は、可能な限り、鍵穴６ｂの水平裁断面Ｘに一致するように位置付けられている。
【００３８】
（８）作用
図７は、シリンダ６の横向き凹所状の被係合部分４５が、連動部材２２を構成する係合片３０の先端部３０ａに相対向しているものの、換言すれば、鍵穴６ｂの中心Ｏの水平裁断面Ｘが鍵穴基準面と被係合部分４５の中心が略一致しているものの、未だ、シリンダ６が前記係合片３０の先端部３０ａで係合固定されていない状態を示している。このような場合には、スライドバー２１の中央部のストッパー２４の先端面が施錠片４の内端部の周面の一部にロック状態に当接しているので、施錠片４を突出方向へと作動させることができない。
【００３９】
これに対して、図８は、図示しないドライバーの先端部を錠箱１に差し込み、かつ、操作具２３の係合頭部２３ａに係合させ、該操作具２３を回してスライドバー２１を錠箱１の内壁面に沿って移動させた場合を示す。
【００４０】
上記の場合に於いて、係合片３０はスライドバー２１に連動する回り板２７を介してガイドベース３５に案内されながらシリンダ６の半径内方向へと前進する。その結果、その先端部３０ａが被係合部分４５に係合する。この時、スライドバー２１のストッパー２４は、右方向へ移動していることから、前記ストッパー２４は施錠片４の内端部から干渉しないように離れる。
【００４１】
したがって、本実施例では、所定の条件（固定手段２０の係合片３０が、例えばシリンダ６の被係合部分４５に嵌り合うこと、又は少なくともシリンダ用固定筒５の基端部５ａの被係合部分４５に係合片３０が入り込むこと。）を充足すると、例えば施錠片４の施錠方向への作動を許容する。それ故に、本発明の所期の目的を達成することができる。
【実施例】
【００４２】
発明の実施の形態で示した実施例に於いて、施錠片（デッド）４を施・解錠状態にするためのロック用手段６、１３として、「シリンダ６」を一例に説明したが、「解錠状態に於いて、水平状態又は垂直状態となる摘みを有するサムターン軸１３」も同様である。サムターン軸１３の係合溝、係合切欠等の被係合部分については、特に図示しないが、シリンダのそれと同様である（本実施例では、サムターン軸１３用の固定筒の被係合部に係合片の先端部が入り込む）。
【００４３】
また、スライドバー２１が移動してストッパー２４の位置が変位すると、所定の条件を充足し（例えば連動部材が連動して係合片が被係合部分に係合し）、施錠片の施錠方向への作動を許容するが、設計如何によっては、ストッパー２４の位置や形状を変更して、施錠片４の解錠方向への作動を許容するように設計変更しても良い。
【００４４】
さらに、係合片３０は、図１０で示すようにコ字形状に構成し、前後の先端部３０ａが相対向するガイドベース３５の切欠状ガイド部分３７にそれぞれ案内されて、ロック用手段６、１３の被係合部４５に係入するように構成しているが、係合片３０の形状は、係入対象如何によって任意に設計変更し得る。
【００４５】
なお、シリンダ６の被係合部分４５が、シリンダ６の基端面に至る切欠ではなく、横向き凹所又は貫通孔である場合は、シリンダ６の引き抜きが容易でないことから、このような実施例の場合には、「シリンダ防犯機能」を発揮することができる。
【００４６】
次に、図１１及び図１２は、本発明の要部の他の実施例（第２実施例）を示す。この第２実施例の固定手段は、例えば錠箱１の内壁に環状に突出する支持壁１ｄを設け、この環状支持壁１ｄの凹所５０内に施錠片ロック用手段６を内装するロック用手段固定筒５の基端部５ａを固定的に嵌め込み、一方、外部から操作具を操作すると、連動部材の係合片３０は、図１２で示すように、前記支持壁１ｄに形成した切欠部５１及びロック用手段固定筒６の被係合部４５を介して施錠片ロック用手段の被係合部分４５に係入する。
【００４７】
上記のように構成すると、ロック用手段固定筒５は、環状支持壁１ｄの凹所５０に確実に支持された状態で、かつ、連動部材の係合片３０により係止固定される。また、このように構成しても、第１実施例と同一の目的を達成することができる。
【産業上の利用可能性】
【００４８】
本発明は、主に錠前や建具の業界で利用される。
【図面の簡単な説明】
【００４９】
図１乃至図８は本発明の最良の実施例を示す各説明図。図１１及び図１２は本発明の第２実施例を示す各説明図。
【図１】錠前の一例を示す概略説明図。
【図２】錠前の内部構成を示す説明図。
【図３】固定手段の構成を示す概略説明図。
【図４】固定手段を構成するガイドベース板の概略説明図。
【図５】錠箱内のガイドベース板の位置を示す概略説明図。
【図６】図６（ａ）、（ｂ）はシリンダの外観構成と被係合部分を示す概略説明図。
【図７】シリンダが係合片で係合固定されていない状態並びにストッパーが施錠片の内端部の一部にロック状態に当接している状態の説明図。
【図８】シリンダが係合片で係合固定された状態並びにストッパーが施錠片の内端部から離れ、施錠片の作動が可能でる旨の説明図。
【図９】本発明のポイント部分を示す概略説明図。
【図１０】本発明のポイント部分と固定手段を示す分解斜視図。
【図１１】本発明の第２実施例を示す概略説明図。
【図１２】要部（連動部材の係合片３０と被係合部４５の関係）を示す概略説明図。
【符号の説明】
【００５０】
Ｏ…鍵穴の中心、Ｘ…水平裁断面、Ｙ…垂直際断面、1…錠箱、1ａ…ケース本体、1c…フロント、４…施錠片、５…シリンダ用固定筒、５ａ…固定筒の基端部、６…ロック用手段（シリンダ）、６ａ…シリンダの後端部（基端部）、６ｂ…鍵穴、７…サムターン支持筒、８…摘み、９…軸受け、１１…駆動体（ダルマ）、１２…係合突片、１３…サムターン、１６…従動片、１７…固定軸、２０…固定手段、２１…スライドバー、２１ａ…他端部、２１ｂ…一端部、２１ｃ…中途部位、２２…連動部材、２３…操作具、２４…ストッパー、２５…係合面、２６…連結部、２７…回り板、２８…中心軸、２９…可動ピン、３０…係合片、３５…ガイドベース板、３６…開口、３７…ガイド部分、３８…環状部分、３９、４０…ガイドアーム、４１…軸孔、４５…被係合部分、1ｄ…環状支持壁、５０…環状支持壁の凹所。
【図１】
2008133683.tif 000003
【図２】
2008133683.tif 000004
【図３】
2008133683.tif 000005
【図４】
2008133683.tif 000006
【図５】
2008133683.tif 000007
【図６】
2008133683.tif 000008
【図７】
2008133683.tif 000009
【図８】
2008133683.tif 000010
【図９】
2008133683.tif 000011
【図１０】
2008133683.tif 000012
【図１１】
2008133683.tif 000013
【図１２】
2008133683.tif 000014